(57)【要約】【課題】ライセンスプレートランプの照明光が漏光しないライセンスプレートランプ用ブラケットの設置構造を提供する。【解決手段】ライセンスプレート取付用開口４の上部にランプ開口１０ａを有する底面部１０と、フィニッシャー１の上部裏面１ａに当接する当接面部１２と、底面部１０と当接面部１２との間に形成されるランプ取付面部１１とを有するライセンスプレートランプ用ブラケット８が、底面部１０とライセンスプレート取付用開口４の上部との境界が薄肉となるようにして、フィニッシャーに１一体に形成されている。ライセンスプレートランプ用ブラケット８をフィニッシャー１の上部裏面１ａ側へ折り曲げることによって、当接面１２がフィニッシャー１の上部裏面１ａに当接して被係止部１９が係止部に係止され、フィニッシャー１とランプ取付面部１１と底面部１２とによりランプ空間２０が形成される。【選択図】  図４
2004175129.tif 000002
【特許請求の範囲】
【請求項１】
ライセンスプレートを取り付けるためのライセンスプレート取付用開口がフィニッシャーに形成され、該フィニッシャーの上部裏面側に取り付けられて前記ライセンスプレート取付用開口の上部にランプ開口を有する底面部と、前記フィニッシャーの上部裏面に当接する当接面部と、前記底面部と前記当接面部との間に形成されてライセンスプレートランプが取り付けられるランプ取付面部と、を有するライセンスプレートランプ用ブラケットが、前記底面部と前記ライセンスプレート取付用開口の上部との境界が薄肉となるようにして、前記フィニッシャーに一体に形成され、
前記フィニッシャーの上部裏面側に係止部が形成されるとともに、前記当接面部に該係止部を係止する被係止部が形成され、
前記ライセンスプレートランプ用ブラケットを前記境界から前記フィニッシャーの上部裏面側へ折り曲げることによって、前記当接面が前記フィニッシャーの上部裏面に当接して前記被係止部が前記係止部に係止されるとともに、前記フィニッシャーの裏面と前記ランプ取付面部と前記底面部とにより前記ライセンスプレートランプを収納するためのランプ空間が形成されることを特徴とするライセンスプレートランプ用ブラケットの設置構造。
【請求項２】
前記係止部は、前記フィニッシャーの上端部であって、前記係止部と前記被係止部とが係止した状態で前記フィニッシャーが車両後部に取り付けられた際に前記係止部が車両後部と前記フィニッシャーとの境界に位置する場所に形成されることを特徴とする請求項１に記載のライセンスプレートランプ用ブラケットの設置構造。
【請求項３】
前記ランプ取付面部に位置決め用突起が形成され、車両後部に該位置決め用突起が嵌合される凹部が形成されていることを特徴とする請求項１又は請求項２に記載のライセンスプレートランプ用ブラケットの設置構造。
【請求項４】
前記底面部と前記ランプ取付面部とによりなる第１挟角部に対して、該第１挟角部の補強を行うためのリブが形成され、
前記ランプ取付面部と前記当接面とによりなる第２挟角部に対して、該第２挟角部の補強を行うためのリブが形成されことを特徴とする請求項１乃至請求項３のいずれか１項に記載のライセンスプレートランプ用ブラケットの設置構造。
【発明の詳細な説明】
【０００１】
【発明の属する技術分野】
本発明は、ライセンスプレートランプを取り付けるためのライセンスプレートランプ用ブラケットの設置構造に関する。
【０００２】
【従来の技術】
従来より、ライセンスプレートを照明するためのライセンスプレートランプは、まず、ライセンスプレートランプ用ブラケットに固定され、その後に、ライセンスプレートランプ固定済のライセンスプレートランプ用ブラケットがバンパー等に固定されることによって、車両に取り付けられていた（例えば、特許文献１）。
【０００３】
しかしながら、上述したように、バンパーとは別部材となるライセンスプレートランプ用ブラケットを用いてライセンスプレートランプを車両に設置すると、部品点数が増加するので車両価格の上昇を招くという問題があった。また、ライセンスプレートランプ用ブラケットは材料として金属（鉄等）片を用いることが多かったので、車両重量の増加を伴うという問題があった。
【０００４】
このような問題を解決するために、ライセンスプレートランプ用ブラケットとバンパー上端部との境界部を薄肉として、ライセンスプレートランプ用ブラケットをバンパー上部に一体に形成することによって、バンパーと一体にかつ同一材料でライセンスプレートランプ用ブラケットを形成する構造が考案されている（例えば、特許文献２〜４）。この構造では、境界部を折曲起点としてライセンスプレートランプ用ブラケットをバンパーの裏面側へ折り込むことによって、バンパーとライセンスプレートランプ用ブラケットとによりライセンスプレートランプを収納するためのランプ空間が形成される。また、ライセンスプレートランプ用ブラケットの端部とバンパーの裏面下部とには、ライセンスプレートランプ用ブラケットをバンパー裏面側に係止させるための係止部と被係止部とが設けられることが多い。
【０００５】
【特許文献１】特開平１０−５３０６８号公報（第２頁、図９）
【特許文献２】特開平６−２６２９８０号公報
【特許文献３】特開平８−１８３３８９号公報
【特許文献４】特開２００１−１０５９７１号公報
【０００６】
【発明が解決しようとする課題】
しかしながら、このようなライセンスプレートランプ用ブラケットの設置構造では、バンパー裏面下部に設置された係止部からライセンスプレートランプの照明光が漏光してしまうおそれが生ずるという問題があり、この漏光対策として漏光部分にスペーサーを設置すると、スペーサーの設置に伴い価格が上昇してしまうという問題があった。
【０００７】
さらに、ライセンスプレートランプ用ブラケットをバンパーの裏面側へ折り曲げる構成では、バンパー表面に圧力を加えると、バンパー裏面側に位置するライセンスプレートランプ用ブラケットが撓んでベコツクことがあり、このベコツキ感を低減させるために補強部材をバンパー裏面に設置すると、価格上昇・重量増加を招くとともに、取付工程の追加・取付作業の困難性等に伴い作業効率が低下するという問題があった。
【０００８】
本発明は上記の課題に鑑みて為されたものであり、ライセンスプレートランプの照明光が漏光することなく、さらに、ライセンスプレートランプ用ブラケットによるベコツキ感を低減させることが可能なライセンスプレートランプ用ブラケットの設置構造を提供することを課題とする。
【０００９】
【課題を解決するための手段】
上記課題を解決するために、請求項１に記載の発明は、ライセンスプレートを取り付けるためのライセンスプレート取付用開口がフィニッシャーに形成され、該フィニッシャーの上部裏面側に取り付けられて前記ライセンスプレート取付用開口の上部にランプ開口を有する底面部と、前記フィニッシャーの上部裏面に当接する当接面部と、前記底面部と前記当接面部との間に形成されてライセンスプレートランプが取り付けられるランプ取付面部と、を有するライセンスプレートランプ用ブラケットが、前記底面部と前記ライセンスプレート取付用開口の上部との境界が薄肉となるようにして、前記フィニッシャーに一体に形成され、前記フィニッシャーの上部裏面側に係止部が形成されるとともに、前記当接面部に該係止部を係止する被係止部が形成され、前記ライセンスプレートランプ用ブラケットを前記境界から前記フィニッシャーの上部裏面側へ折り曲げることによって、前記当接面が前記フィニッシャーの上部裏面に当接して前記被係止部が前記係止部に係止されるとともに、前記フィニッシャーの裏面と前記ランプ取付面部と前記底面部とにより前記ライセンスプレートランプを収納するためのランプ空間が形成されるライセンスプレートランプ用ブラケットの設置構造であることを特徴とする。
【００１０】
請求項１に係るライセンスプレートランプ用ブラケットの取付構造を用いることによって、係止部及び被係止部が、フィニッシャーがランプ開口及びライセンスプレート取付用開口よりも上方であって、ライセンスプレートランプの照明光の照射方向の反対側に位置するので、ライセンスプレートランプの照明光が係止部及び被係止部まで伝わりにくくなり、係止突起６及び係止凹部１９からの漏光発生を抑制することが可能となる。さらに、当接面部とフィニッシャーの上部裏面とが当接するので、ライセンスプレートランプの照明光が係止部及び係止部へさらに伝わりにくくなる。
【００１１】
請求項２に記載の発明は、請求項１に記載のライセンスプレートランプ用ブラケットの設置構造において、前記係止部が、前記フィニッシャーの上端部であって、前記係止部と前記被係止部とが係止した状態で前記フィニッシャーが車両後部に取り付けられた際に前記係止部が車両後部と前記フィニッシャーとの境界に位置する場所に形成されることを特徴とする。
【００１２】
請求項２に係るライセンスプレートランプ用ブラケットの取付構造を用いることによって、係止部がフィニッシャーの上端部であって、係止部と被係止部とが係止した状態でフィニッシャーが車両後部に取り付けられた際に係止部が車両後部とフィニッシャーとの境界部に位置する場所に形成されるので、フィニッシャーを車両後部に取り付けた際には、係止部及び被係止部が車両後方より見えにくくなり、車両後方の美観を損なうおそれが少なくなる。
【００１３】
請求項３に記載の発明は、請求項１又は請求項２に記載のライセンスプレートランプ用ブラケットの設置構造において、前記ランプ取付面部に位置決め用突起が形成され、車両後部に該位置決め用突起が嵌合される凹部が形成されていることを特徴とする。
【００１４】
請求項３に係るライセンスプレートランプ用ブラケットの取付構造を用いることによって、ランプ取付面部に位置決め突起が形成されているので、フィニッシャーを車両後部に取り付ける際に位置決め突起を凹部に嵌合させることによって作業者が容易にフィニッシャーの位置決めを行うことができ、作業効率の向上を図ることが可能となる。
【００１５】
請求項４に記載の発明は、請求項１乃至請求項３のいずれか１項に記載のライセンスプレートランプ用ブラケットの設置構造において、前記底面部と前記ランプ取付面部とによりなる第１挟角部に対して、該第１挟角部の補強を行うためのリブが形成され、前記ランプ取付面部と前記当接面とによりなる第２挟角部に対して、該第２挟角部の補強を行うためのリブが形成されことを特徴とする。
【００１６】
請求項４に係るライセンスプレートランプ用ブラケットの取付構造を用いることによって、第１挟角部に形成されるリブと第２挟角部に形成されるリブとによりライセンスプレートランプ用ブラケットの強度が向上するので、フィニッシャーに対して圧力を加えても（例えば、フィニッシャーを表面側から指等で押してみても）、ライセンスプレートランプ用ブラケットが容易に撓むことがなくなり、ペコツキ感を低減させることが可能となる。
【００１７】
【発明の実施の形態】
以下、本発明に係るライセンスプレートランプ用ブラケットの設置構造を用いたフィニッシャーについて、図面を用いて説明する。
【００１８】
図１は、本発明に係るライセンスプレートランプ用ブラケットの設置構造を用いたフィニッシャーが取り付けられた車両の後方斜視図を示した図であり、図２は、図１に示したフィニッシャーの裏面側を示した斜視図である。
【００１９】
フィニッシャー１は、車両後部２に設けられており、車幅方向に延びる長方形状を呈している。フィニッシャー１は合成樹脂により形作られており、中央部にはライセンスプレート３用のプレート用開口４が形成されている。フィニッシャー１の裏面側上端部には係止突起６が形成されている。
【００２０】
フィニッシャー１に形成されたプレート用開口４の上縁部４ａには、図３に示すように、ライセンスプレートランプ用のブラケット８が、フィニッシャー１に一体に形成されている。ライセンスプレートランプ用ブラケット８とフィニッシャー１との境界は薄肉となっており、この薄肉部８ａを折曲起点としてライセンスプレート用ブラケット８をフィニッシャー１の裏面側に折り曲げることが可能となっている。
【００２１】
ライセンスプレートランプ用ブラケット８は、プレート用開口４の上縁部４ａと同一幅を有する長方形の板状体を車幅方向に延びる２カ所の屈曲部９ａ、９ｂで屈曲させることによって区分けされる、底面部１０と、ランプ取付面部１１と、当接面部１２とによって構成されている。
【００２２】
底面部１０の中央部には、ライセンスプレートランプ１３の照明光をライセンスプレート３に照射させるためのランプ開口１０ａが形成されており、底面部１０のフィニッシャー１側には、ライセンスプレートランプ用ブラケット８がフィニッシャー１１側に折り曲げられた場合に底面部１０が水平となるように傾斜面部１０ｂが形成され、傾斜面部１０ｂのフィニッシャー１側端部には薄肉部８ａが位置している。
【００２３】
底面部１０において、傾斜面部１０ｂの反対側の端部には、屈曲部９ａを境にしてランプ取付面部１１が位置しており、傾斜面部１０ｂと底面部１０とランプ取付面部１１とは、図３に示すように側方視逆Ｚ字となるような位置関係となる。また、底面部１０とランプ取付面部１１とによりなる挟角部α１には、底面部１０及びランプ取付面部１１に対して立設するようにして設置されるリブ１５ａが車幅方向に複数配設されている。
【００２４】
ランプ取付面部１１において、底面部１０の反対側の端部には、屈曲部９ｂを境にして当接面部１２が位置しており、当接面部１２とランプ取付面部１１と底面部１０とは、側方視Ｚ字となるような位置関係となる。ランプ取付面１１の表面であってランプ開口を臨む側の面１１ａにはライセンスプレートランプ１６が固定され、その裏面１１ｂには、フィニッシャー１を車両後部２に設置する際の位置決めに用いられる位置決め突起１７が形成されている。位置決め突起１７は底面部１０とほぼ平行となるようにランプ取付面部１１に取り付けられる。
【００２５】
当接面部１２の表面１２ａは、フィニッシャー１の上部裏面１ａに対応する面形状となっており、薄肉部８ａを折曲基点としてライセンスプレートランプ用ブラケット８がフィニッシャー１裏面側に折り曲げられた場合には、当接面１２の表面１２ａとフィニッシャー１の上部裏面１ａとが当接する構成となっている。当接面部１２の端部には、係止突起６と係止する係止凹部１９が形成されている。当接面部１２とランプ取付面部１１とによりなる挟角部α２には、当接面部１２及びランプ取付面部１１に対して立設するようにして設置されるリブ１５ｂが車幅方向に複数配設されている。
【００２６】
上述のように構成されたライセンスプレートランプ用ブラケット８を、薄肉部８ａを折曲起点としてフィニッシャー１裏面側に折り曲げると、図４に示すように、当接面１２の表面１２ａがフィニッシャー１の上部裏面１ａに当接するととともに、当接面１２の端部に形成された係止凹部１９がフィニッシャー１の上端部に形成された係止突起６とが係止する。この係止突起６と係止凹部１９との係止により、ライセンスプレート用ブラケット８は、当接面１２がフィニッシャー１の上部裏面１ａに当接した状態を保ち続けるとともに、底面部１０が略平行となり、この底面部１０とランプ取付面部１１とフィニッシャー１の裏面１１ｂとによりライセンスプレートランプ１６を設置するためのランプ空間２０を形成する。
【００２７】
ランプ空間２０に位置するライセンスプレートランプ１６は、その光源がランプ開口１０ａを臨むようにしてランプ設置面部１１に設置されている。このため、係止突起６及び係止凹部１９は、ライセンスプレートランプ１６の背面側に位置する構造となり、さらに、当接面部１２の表面１２ａとフィニッシャー１の上部裏面１ａとが当接しているので、ライセンスプレートランプ１６の照明光が係止突起６及び係止凹部１９まで伝わりにくい構造となっている。このことから、本発明に係るライセンスプレートランプ用ブラケット８の設置構造を用いたフィニッシャー１では、係止突起６及び係止凹部１９から漏光が発生し難くなる。
【００２８】
また、係止突起６がフィニッシャー１の上端部に形成されており、フィニッシャー１を車両後部２に取り付ける際には、係止突起６が車両後部２との境界（隙間）に位置することとなるので、係止突起６及び係止凹部１９が車両後方より見えにくくなり、美観を損なうことがない。
【００２９】
さらに、挟角部α１、α２にリブ１５ａ、１５ｂを設けることによって、ライセンスプレートランプ用ブラケット８の強度が向上するので、フィニッシャー１に対して圧力を加えても（例えば、フィニッシャー１を表面側から指等で押してみても）、ライセンスプレートランプ用ブラケット８が容易に撓むことがなく、ペコツキ感を低減させることが可能となる。
【００３０】
また、ランプ取付面部１１に位置決め突起１７が形成されているので、位置決め用突起１７を車両後部２に形成される凹部１７ａに勘合させることによって、フィニッシャー１を車両後部２に取り付ける際に作業者が容易にフィニッシャー１の位置決めを行うことができ、作業効率の向上を図ることが可能となる。
【００３１】
以上、本発明に係るライセンスプレートランプ用ブラケット８の取付構造を、フィニッシャー１を用いて説明したが、本発明は上記の構造に限定されるものではない。
【図面の簡単な説明】
【図１】図１は、本発明に係るライセンスプレートランプ用ブラケットの取付構造を用いフィニッシャーを備えた車両を示した後方斜視図である。
【図２】図２は、本発明に係るライセンスプレートランプ用ブラケットの取付構造を用いフィニッシャー示した裏面側斜視図である。
【図３】図３は、図２に示したフィニッシャーにおけるＡ−Ａ断面を示した側方断面図である。
【図４】図４は、図３に示したフィニッシャーにおいて、ライセンスプレートランプ用ブラケットを薄肉部で折り曲げた状態を示した側方断面図である。
【符号の説明】
１  フィニッシャー
１ａ  フィニッシャーの上部裏面
２  車両後部
３  ライセンスプレート
４  プレート用開口
４ａ  上縁部（プレート用開口の上縁部）
６  係止突起（係止部）
８  ライセンスプレート用ブラケット
８ａ  薄肉部
１０  底面部
１０ａ  ランプ開口
１０ｂ  傾斜面部
１１  ランプ取付面部
１２  当接面部
１５ａ、１５ｂ  リブ
１６  ライセンスプレートランプ
１７  位置決め突起
１７ａ  凹部
１９  係止凹部（被係止部）
２０  ランプ空間
α１、α２  挟角部（第１挟角部、第２挟角部）
【図１】
2004175129.tif 000003
【図２】
2004175129.tif 000004
【図３】
2004175129.tif 000005
【図４】
2004175129.tif 000006